【手続補正書】
【提出日】平成18年10月2日(2006.10.2)
【手続補正１】
【補正対象書類名】明細書
【補正対象項目名】特許請求の範囲
【補正方法】変更
【補正の内容】
【特許請求の範囲】
【請求項１】  後方側が開放された空間Ｓ１を備えた下部フレームと、該下部フレームに立設された支柱と、該支柱に設けられた回動軸受部を介して外側上方（被移乗者の大腿部側部に位置する状態）から内側下方（被移乗者の大腿部下方と椅子体との間に形成される空間Ｓ２に挿通する状態）へ回動自在に付設された被移乗者の膝を迂回するクランク状の形状をした左右一対のアームと、該アーム後部に軸承された座部と、該座部上方に設け後方側が開放された手摺枠体と、該手摺枠体の略々中間部に設けた係止体と、該掛止体に係止する背受シートと、前記座部及び手摺枠体を適宜昇降可能に昇降機構を設けた移乗装置において、前記回動軸受部を前記支柱に固着した上下方向の筒体に上下方向の軸体と前後方向の筒体から成る回動ボスを軸着し、該回動ボスに前記アームを軸着することによって、アームが外側上方及び内側下方においても、前記座部を適宜左右に回動自在とし座部間隔を調節可能に構成したことを特徴とする移乗装置。
【請求項２】  前記座部全端部にストッパー部を備えた軸受部を設け、アーム後部には係止部材を一体的に設けて前記座部を軸受けし、座部のストッパー部を前記係止部材に接触させることによって該座部を所定の範囲でアームに対し回動自在としたことを特徴とする請求項１に記載の移乗装置。
【請求項３】  前記回動軸受部を後方側に傾倒した状態に設けたことを特長とする請求項１または請求項２のいずれか一項に記載の移乗装置。
【請求項４】  前記アームが外側上方の位置で保持される自動ロック機構を備えたことを特徴とする請求項１から請求項３のいずれか一項に記載の移乗装置。
【請求項５】  前記下部フレームにおいて、足置板下面に前輪を付設したことを特徴とする請求項１から請求項４のいずれか一項に記載の移乗装置。
【請求項６】  前記係止体を前記手摺枠体の内側に設けたことを特徴とする請求項１から請求項５のいずれか一項に記載の移乗装置。
【請求項７】  前記背受シートを被移乗者と車椅子間に挿入可能な剛性及び可撓性を備えた背受部と、該背受部左右両側に前記係止体に係止する係止部を設けたことを特徴とする請求項１に記載の移乗装置。
【請求項８】  前記背受シートの係止部には複数の係止箇所が備えられていることを特徴とする請求項１または請求項７のいずれか一項に記載の移乗装置。
【請求項９】  前記背受シートの背受部を曲面を有する立体的な形状としたことを特徴とする請求項１または請求項７あるいは請求項８のいずれか一項に記載の移乗装置。
【請求項１０】  前記背受シートにずれ止めのベルトを設けたことを特徴とする請求項１または請求項７から請求項９のいずれか一項に記載の移乗装置。
【請求項１１】  前記下部フレームに拡縮機構を設け、前記昇降機構を前記下部フレームに止着した枠体と該枠体に沿って上下に摺動可能な摺動枠内に設け、前記拡縮機構のレバーを基準として、該レバーの投影方向摺動枠面に目印を儲け、該レバーと目印により前記座部の高さを調節できるよう構成したことを特徴とする請求項１から請求項６のいずれか一項に記載の移乗装置。
【手続補正２】
【補正対象書類名】明細書
【補正対象項目名】０００３
【補正方法】変更
【補正の内容】
【０００３】
しかしながら、前者、後者ともに、ペダルを踏んで支柱、枝柱を起立させる構造であるため、受け板、保持具に被移乗者の上半身をあずけた状態で、支柱、枝柱をゆっくり、静かに起立、傾斜させることは容易ではなく、そのため、ペダルを強く踏み過ぎて支柱、枝柱を急激に起立、傾斜させることがあって、姿勢が不安定となり、被移乗者の目線角度が急に変化することにより恐怖感を感じさせることがある。さらにこの点は、被移乗者を当該装置より、目的とする被移乗物に降ろすときには被移乗者の体重重心の降下の勢いをも考慮して操作しなければならず、その不安感のために当該装置の使用拒否を招くこともあった。
【手続補正３】
【補正対象書類名】明細書
【補正対象項目名】０００４
【補正方法】変更
【補正の内容】
【０００４】
また、特に、介護者が非力な婦人であったり、高齢者では操作が困難であり、さらに、被移乗者の上半身を受け板、保持具にあずけた状態では、傾斜角度、高さ、位置を変えることができず不便である問題もあった。
【手続補正４】
【補正対象書類名】明細書
【補正対象項目名】００２８
【補正方法】変更
【補正の内容】
【００２８】
また、３９は調節片であって、前記ブラケット３５に止着されており、上下にスライド可能に長孔部３９ａが設けられている。そして、該調節片３９は左右両側に設けた係止爪３９ｂ，３９ｂに前記ストッパ体３８の係止爪３８ｂ，３８ｂが接触し、回動ボス３７の軸部３７ａを基端とした回動（座部７，７の開き）を規制するものであり、座部７，７間隔を調節可能としている。
【手続補正５】
【補正対象書類名】明細書
【補正対象項目名】００２９
【補正方法】変更
【補正の内容】
【００２９】
さらに、図７はアーム６を外側上方で保持する自動ロック機構４０を示すものである。この自動ロック機構４０は前記回動ボス３７の軸部３７ａに空孔部３７ｄ及び雌ネジ部３７ｅを設け、この空孔部３７ｄに押圧片４１とばね４２を挿通し、雄ネジ部４３によって押圧片４１の押圧力を調整している。そして、該押圧片４１がアーム６端部に固着された軸体６ｂに設けた係止孔６ｃに係止することによって保持する構成である。なお、本実施例において押圧片４１は棒状で先端部を球状としたものであるが、球体を用いても何ら問題はない。
【手続補正６】
【補正対象書類名】明細書
【補正対象項目名】００３０
【補正方法】変更
【補正の内容】
【００３０】
７は座部であって、上面で大腿部を保持するため正面視において、円弧状の形状となっている。また、下面前端部には前記アーム６に枢着する軸受部７ａが設けられており、該軸受部７ａは図１０に示す通り前記アーム６に固着された係止部材６ａに接触するストッパー部７ｂが備えられている。すなわち、該座部７は前記ストッパー７ｂと係止部材６ａが接触する間回動自在であり、移乗を行う際に挿入し易い座部角度から大腿部を保持する際に体圧が分散される角度（図２において０度から反時計まわりに２５度）まで回動自在な構成となっている。なお、車椅子Ｋに被移乗者Ｍが着座した状態では図１８に示すように被移乗者Ｍの膝裏部と座面間には三角形状の空間Ｓ２が形成される。また、この空間Ｓ２は車椅子Ｋの側部フレームから前方にも形成されているので座部７前端部の軸受部７ａは大径の軸受部とすることが可能である。
【手続補正７】
【補正対象書類名】明細書
【補正対象項目名】００３２
【補正方法】変更
【補正の内容】
【００３２】
図１１及び図１２は本移乗装置に使用する背受シート４６である。この背受シート４６は、主として背受部４６ａと係止部４６ｂ，４６ｂからなり、背受部４６ａにはある程度の剛性と可撓性を備えた材質を用いている。すなわち、該背受シート４６は車椅子Ｋから移乗させる際に車椅子Ｋの背もたれと被移乗者Ｍの背中間に挿し込み、上部から押し込むようにして被移乗者Ｍの背部に当て、係止部４６ｂ，４６ｂを前記係止部４６ｂ，４６ｂは図１１，図１２及び図１３に示すように係止箇所を複数設けておくことによって、様々な体格の方を移乗させることが可能となる。さらに、図１２に示すように背受部４６ａにスリットを入れ、このスリット部を重ねるように接着、あるいは縫製することによって該背受部中央に曲面をもたせるようにすると、被移乗者Ｍの背部を確実に保持できる効果がある。
さらに、図１３に示すように背受部４６ａ両側部に一対のベルト４７ａ，４７ｂを設け、被移乗者Ｍの背部を迂回して腹部でベルト４７ａ，４７ｂを装着することによって、背受シート４６が下方にすれることがなくなり、より安全に使用できる。
【手続補正８】
【補正対象書類名】明細書
【補正対象項目名】００３５
【補正方法】変更
【補正の内容】
【００３５】
まず、図１４から図１６に示すようにアーム６，６を外側上方に回動し、平面視において後方側が開放された状態とする。このとき、アーム６，６は回動軸受部３４に設けた自動ロック機構４０によって自動的にロックされているので介護者は次の動作を行いながら、アームを保持する必要が無い。また、自動ロックなので、レバー等を解除する必要が無く、移乗操作が簡便である。
【手続補正９】
【補正対象書類名】明細書
【補正対象項目名】図面の説明
【補正方法】変更
【補正の内容】
【図面の説明】
【図１】
本発明にかかる移乗装置の全体正面図
【図２】
その全体側面図
【図３】
その全体平面図
【図４】
下部フレームを示す下面図
【図５】
拡縮機構を示す要部拡大図
【図６】
支柱を示す側断面図
【図７】
回動軸受部を示す要部断面図
【図８】
回動軸受部を示す斜視図
【図９】
アーム及び座部の作動状態を示す斜視図
【図１０】
座部取付部を示す側断面図
【図１１】
背受シートを示す正面図
【図１２】
背受シートの別例を示す側面図
【図１３】
背受シートの別例を示す正面図
【図１４】
アームを外側上方位置まで回動させた時の全体正面図
【図１５】
その全体側面図
【図１６】
その全体平面図
【図１７】
車椅子からの移乗状態を示す平面説明図
【図１８】
その側面説明図
【図１９】
その座部を内側下方位置に回動させた時の側面説明図
【手続補正１０】
【補正対象書類名】図面
【補正対象項目名】全図
【補正方法】変更
【補正の内容】
【図１】
2001104410.tif 000001
【図２】
2001104410.tif 000002
【図３】
2001104410.tif 000003
【図４】
2001104410.tif 000004
【図５】
2001104410.tif 000005
【図６】
2001104410.tif 000006
【図７】
2001104410.tif 000007
【図８】
2001104410.tif 000008
【図９】
2001104410.tif 000009
【図１０】
2001104410.tif 000010
【図１１】
2001104410.tif 000011
【図１２】
2001104410.tif 000012
【図１３】
2001104410.tif 000013
【図１４】
2001104410.tif 000014
【図１５】
2001104410.tif 000015
【図１６】
2001104410.tif 000016
【図１７】
2001104410.tif 000017
【図１８】
2001104410.tif 000018
【図１９】
2001104410.tif 000019